(57)【要約】  ワイヤレス通信のための方法、装置、およびコンピュータプログラム製品が提供される。本装置は、第１のハイブリッド自動再送要求（ＨＡＲＱ）プロセスの第１の期間中の第１のパケットの送信を示す半永続的スケジューリング（ＳＰＳ）メッセージと、ＴＴＩバンドル送信のための構成とを受信する。本装置は、第１のＨＡＲＱプロセスの第１の期間中に第１のリソース上で第１のＴＴＩバンドルパケットを送信する。本装置は、ＳＰＳメッセージに基づいて、第１のＨＡＲＱプロセスの第２の期間中に第２のＴＴＩバンドルパケットを送信するための第２のリソースを識別する。本装置は、第２のＴＴＩバンドルパケットを送信するための第２のリソースのうちの少なくとも１つが、第１のＨＡＲＱプロセスに従って第１のＴＴＩバンドルパケットを再送信するために使用される少なくとも１つのリソースと重複するとき、第２のＴＴＩバンドルパケットの送信を第２のＨＡＲＱプロセスの期間にオフセットすべきかどうかを決定する。【選択図】図１０
2016540456.tif 000002
【特許請求の範囲】
【請求項１】
第１のハイブリッド自動再送要求（ＨＡＲＱ）プロセスの第１の期間中の第１のパケットの送信を示す半永続的スケジューリング（ＳＰＳ）メッセージを受信することと、
送信時間間隔バンドル（ＴＴＩバンドル）送信のためのアップリンク／ダウンリンク構成を受信することと、
前記第１のＨＡＲＱプロセスの前記第１の期間中に前記第１のリソース上で第１のＴＴＩバンドルパケットを送信することと、
前記ＳＰＳメッセージに基づいて、前記第１のＨＡＲＱプロセスの第２の期間中に第２のＴＴＩバンドルパケットを送信するための第２のリソースを識別することと、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすべきかどうかを決定することと
を備える、ワイヤレス通信の方法。
【請求項２】
前記決定することは、前記アップリンク／ダウンリンク構成または前記複数のＨＡＲＱプロセスの中の利用可能なＨＡＲＱプロセスの数のうちの少なくとも１つに基づく、
請求項１に記載の方法。
【請求項３】
前記第２のＴＴＩバンドルパケットの前記送信は、前記送信された第１のＴＴＩバンドルパケットが前記第１のＨＡＲＱプロセスの前記第１の期間中に正常に受信されたとき、前記第２のＨＡＲＱプロセスの前記期間にオフセットされない、
請求項１に記載の方法。
【請求項４】
前記オフセットの１つまたは複数の値は、基地局から受信されたあらかじめ決定されたＳＰＳインスタンスのための無線リソース制御（ＲＲＣ）構成に基づいて決定される、
請求項１に記載の方法。
【請求項５】
前記１つまたは複数のオフセット値は、前記あらかじめ決定されたＳＰＳインスタンスのための前記ＲＲＣ構成に基づいてサイクリックに繰り返される、
請求項４に記載の方法。
【請求項６】
前記オフセットの１つまたは複数の値は、あらかじめ定義されたオフセットのリストに基づいて決定される、
請求項１に記載の方法。
【請求項７】
前記１つまたは複数のオフセット値は、あらかじめ定義されたオフセットの前記リストに基づいてサイクリックに繰り返される、
請求項６に記載の方法。
【請求項８】
前記オフセットの１つまたは複数の値は、基地局から受信された情報をスケジュールする際に与えられる指示に基づいて決定される、
請求項１に記載の方法。
【請求項９】
前記第２のＴＴＩバンドルパケットの前記送信を前記第２のＨＡＲＱプロセスの前記期間にオフセットすべきかどうかを前記決定することは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第１のパケットの前記再送信が予想される場合、前記第２のＴＴＩバンドルパケットを送信するための次の利用可能なＨＡＲＱプロセスと、前記次の利用可能なＨＡＲＱプロセスのための対応するオフセット値とを決定することを備える、
請求項１に記載の方法。
【請求項１０】
前記第２のＴＴＩバンドルパケットの前記送信を前記第２のＨＡＲＱプロセスの前記期間にオフセットすべきかどうかを前記決定することは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第２のＴＴＩバンドルパケットを送信するための他の利用可能なＨＡＲＱプロセスがない場合、前記第１のＴＴＩバンドルパケットの前記再送信をドロップすることをさらに備える、
請求項９に記載の方法。
【請求項１１】
第１のハイブリッド自動再送要求（ＨＡＲＱ）プロセスの第１の期間中の第１のパケットの送信を示す半永続的スケジューリング（ＳＰＳ）メッセージを受信するための手段と、
送信時間間隔バンドル（ＴＴＩバンドル）送信のためのアップリンク／ダウンリンク構成を受信するための手段と、
前記第１のＨＡＲＱプロセスの前記第１の期間中に前記第１のリソース上で第１のＴＴＩバンドルパケットを送信するための手段と、
前記ＳＰＳメッセージに基づいて、前記第１のＨＡＲＱプロセスの第２の期間中に第２のＴＴＩバンドルパケットを送信するための第２のリソースを識別するための手段と、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすべきかどうかを決定するための手段と
を備える、ワイヤレス通信のための装置。
【請求項１２】
前記決定するための手段は、前記アップリンク／ダウンリンク構成または前記複数のＨＡＲＱプロセスの中の利用可能なＨＡＲＱプロセスの数のうちの少なくとも１つに基づいて決定する、
請求項１１に記載の装置。
【請求項１３】
前記第２のＴＴＩバンドルパケットの前記送信は、前記送信された第１のＴＴＩバンドルパケットが前記第１のＨＡＲＱプロセスの前記第１の期間中に正常に受信されたとき、前記第２のＨＡＲＱプロセスの前記期間にオフセットされない、
請求項１１に記載の装置。
【請求項１４】
前記オフセットの１つまたは複数の値は、基地局から受信されたあらかじめ決定されたＳＰＳインスタンスのための無線リソース制御（ＲＲＣ）構成に基づいて決定される、
請求項１１に記載の装置。
【請求項１５】
前記１つまたは複数のオフセット値は、前記あらかじめ決定されたＳＰＳインスタンスのための前記ＲＲＣ構成に基づいてサイクリックに繰り返される、
請求項１４に記載の装置。
【請求項１６】
前記オフセットの１つまたは複数の値は、あらかじめ定義されたオフセットのリストに基づいて決定される、
請求項１１に記載の装置。
【請求項１７】
前記１つまたは複数のオフセット値は、あらかじめ定義されたオフセットの前記リストに基づいてサイクリックに繰り返される、請求項１６に記載の装置。
【請求項１８】
前記オフセットの１つまたは複数の値は、基地局から受信された情報をスケジュールする際に与えられる指示に基づいて決定される、
請求項１１に記載の装置。
【請求項１９】
前記第２のＴＴＩバンドルパケットの前記送信を前記第２のＨＡＲＱプロセスの前記期間にオフセットすべきかどうかを前記決定するための手段は、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第１のパケットの前記再送信が予想される場合、前記第２のＴＴＩバンドルパケットを送信するための次の利用可能なＨＡＲＱプロセスと、前記次の利用可能なＨＡＲＱプロセスのための対応するオフセット値とを決定すること
を行うように構成された、請求項１１に記載の装置。
【請求項２０】
前記第２のＴＴＩバンドルパケットの前記送信を前記第２のＨＡＲＱプロセスの前記期間にオフセットすべきかどうかを前記決定するための手段は、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第２のＴＴＩバンドルパケットを送信するための他の利用可能なＨＡＲＱプロセスがない場合、前記第１のＴＴＩバンドルパケットの前記再送信をドロップすること
を行うようにさらに構成された、請求項１９に記載の装置。
【請求項２１】
メモリと、
前記メモリに結合された少なくとも１つのプロセッサと
を備え、前記少なくとも１つのプロセッサは、
第１のハイブリッド自動再送要求（ＨＡＲＱ）プロセスの第１の期間中の第１のパケットの送信を示す半永続的スケジューリング（ＳＰＳ）メッセージを受信することと、
送信時間間隔バンドル（ＴＴＩバンドル）送信のためのアップリンク／ダウンリンク構成を受信することと、
前記第１のＨＡＲＱプロセスの前記第１の期間中に前記第１のリソース上で第１のＴＴＩバンドルパケットを送信することと、
前記ＳＰＳメッセージに基づいて、前記第１のＨＡＲＱプロセスの第２の期間中に第２のＴＴＩバンドルパケットを送信するための第２のリソースを識別することと、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすべきかどうかを決定することと
を行うように構成された、ワイヤレス通信のための装置。
【請求項２２】
決定するように構成された前記少なくとも１つのプロセッサは、前記アップリンク／ダウンリンク構成または前記複数のＨＡＲＱプロセスの中の利用可能なＨＡＲＱプロセスの数のうちの少なくとも１つに基づいて決定する、
請求項２１に記載の装置。
【請求項２３】
前記第２のＴＴＩバンドルパケットの前記送信は、前記送信された第１のＴＴＩバンドルパケットが前記第１のＨＡＲＱプロセスの前記第１の期間中に正常に受信されたとき、前記第２のＨＡＲＱプロセスの前記期間にオフセットされない、
請求項２１に記載の装置。
【請求項２４】
前記オフセットの１つまたは複数の値は、基地局から受信されたあらかじめ決定されたＳＰＳインスタンスのための無線リソース制御（ＲＲＣ）構成に基づいて決定される、
請求項２１に記載の装置。
【請求項２５】
前記１つまたは複数のオフセット値は、前記あらかじめ決定されたＳＰＳインスタンスのための前記ＲＲＣ構成に基づいてサイクリックに繰り返される、
請求項２４に記載の装置。
【請求項２６】
前記オフセットの１つまたは複数の値は、あらかじめ定義されたオフセットのリストに基づいて決定される、
請求項２１に記載の装置。
【請求項２７】
前記オフセットの１つまたは複数の値は、基地局から受信された情報をスケジュールする際に与えられる指示に基づいて決定される、
請求項２１に記載の装置。
【請求項２８】
前記第２のＴＴＩバンドルパケットの前記送信を前記第２のＨＡＲＱプロセスの前記期間にオフセットすべきかどうかを決定するように構成された前記少なくとも１つのプロセッサは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第１のパケットの前記再送信が予想される場合、前記第２のＴＴＩバンドルパケットを送信するための次の利用可能なＨＡＲＱプロセスと、前記次の利用可能なＨＡＲＱプロセスのための対応するオフセット値とを決定すること
を行うように構成された、請求項２１に記載の装置。
【請求項２９】
前記第２のＴＴＩバンドルパケットの前記送信を前記第２のＨＡＲＱプロセスの前記期間にオフセットすべきかどうかを決定するように構成された前記少なくとも１つのプロセッサは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第２のＴＴＩバンドルパケットを送信するための他の利用可能なＨＡＲＱプロセスがない場合、前記第１のＴＴＩバンドルパケットの前記再送信をドロップすることを行うようにさらに構成された、
請求項２８に記載の装置。
【請求項３０】
コンピュータ可読媒体に記憶されたコンピュータプログラム製品であって、少なくとも１つのプロセッサ上で実行されると、前記少なくとも１つのプロセッサに、
第１のハイブリッド自動再送要求（ＨＡＲＱ）プロセスの第１の期間中の第１のパケットの送信を示す半永続的スケジューリング（ＳＰＳ）メッセージを受信することと、
送信時間間隔バンドル（ＴＴＩバンドル）送信のためのアップリンク／ダウンリンク構成を受信することと、
前記第１のＨＡＲＱプロセスの前記第１の期間中に前記第１のリソース上で第１のＴＴＩバンドルパケットを送信することと、
前記ＳＰＳメッセージに基づいて、前記第１のＨＡＲＱプロセスの第２の期間中に第２のＴＴＩバンドルパケットを送信するための第２のリソースを識別することと、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすべきかどうかを決定することと
を行わせるコードを備える、コンピュータプログラム製品。
【発明の詳細な説明】
【関連出願の相互参照】
【０００１】
[0001]本出願は、その全体が参照により本明細書に明確に組み込まれる、２０１３年１０月７日に出願された「TTI-Bundling and SPS Operation in LTE（登録商標） TDD」と題する米国仮出願第６１／８８７，９５７号、および２０１４年１０月６日に出願された「TTI-Bundling and SPS Operation in LTE TDD」と題する米国非仮出願第１４／５０７，６４１号の利益を主張する。
【技術分野】
【０００２】
[0002]本開示は、一般に通信システムに関し、より詳細には、半永続的スケジューリングと送信時間間隔バンドリングとに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は、第１のハイブリッド自動再送要求（ＨＡＲＱ：hybrid automatic repeat request）プロセスの第１の期間中の第１のパケットの送信を示す半永続的スケジューリング（ＳＰＳ：semi-persistent scheduling）メッセージと、送信時間間隔バンドル（ＴＴＩバンドル）送信のためのアップリンク／ダウンリンク構成とを受信する。本装置は、第１のＨＡＲＱプロセスの第１の期間中に第１のリソース上で第１のＴＴＩバンドルパケットを送信する。本装置は、ＳＰＳメッセージに基づいて、第１のＨＡＲＱプロセスの第２の期間中に第２のＴＴＩバンドルパケットを送信するための第２のリソースを識別する。本装置は、第２のＴＴＩバンドルパケットを送信するための第２のリソースのうちの少なくとも１つが、第１のＨＡＲＱプロセスに従って第１のＴＴＩバンドルパケットを再送信するために使用される少なくとも１つのリソースと重複するとき、第２のＴＴＩバンドルパケットの送信を第２のＨＡＲＱプロセスの期間にオフセットすべきかどうかを決定する。
【図面の簡単な説明】
【０００６】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】従来の手法によるジョイントＳＰＳおよびＴＴＩ−Ｂ動作の一例を示す図。
【図８】例示的な一実施形態によるジョイントＳＰＳおよびＴＴＩ−Ｂ動作の第１の例を示す図。
【図９】例示的な一実施形態によるジョイントＳＰＳおよびＴＴＩ−Ｂ動作の第２の例を示す図。
【図１０】ワイヤレス通信の方法のフローチャート。
【図１１】例示的な装置中の異なるモジュール／手段／構成要素間のデータフローを示す概念データフロー図。
【図１２】処理システムを採用する装置のためのハードウェア実装形態の一例を示す図。
【発明を実施するための形態】
【０００７】
[0018]添付の図面に関して以下に記載される詳細な説明は、様々な構成を説明するものであり、本明細書で説明される概念が実施され得る唯一の構成を表すものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0019]次に、様々な装置および方法に関して電気通信システムのいくつかの態様が提示される。これらの装置および方法は、以下の詳細な説明において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【０００９】
[0020]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明される様々な機能を実行するために構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0021]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、ＣＤ、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１１】
[0022]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００１２】
[0023]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0024]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ：Multimedia Broadcast Multicast Service）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１４】
[0025]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。ｅＮＢは、１つまたは複数の（たとえば、３つの）セル（セクタとも呼ばれる）をサポートし得る。「セル」という用語は、ｅＮＢの最も小さいカバレージエリアを指すことがあり、および／またはｅＮＢサブシステムサービングは特定のカバレージエリアである。さらに、「ｅＮＢ」、「基地局」、および「セル」という用語は、本明細書では互換的に使用され得る。
【００１５】
[0026]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示される様々な概念はＬＴＥ適用例に好適である。ただし、これらの概念は、他の変調および多元接続技法を採用する他の通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１６】
[0027]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１７】
[0028]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0029]以下の詳細な説明では、アクセスネットワークの様々な態様が、ＤＬ上でＯＦＤＭをサポートするＭＩＭＯシステムに関して説明される。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0030]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0031]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0032]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２２】
[0033]初期システムアクセスを実行し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0034]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担う。
【００２４】
[0035]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２５】
[0036]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、ロストデータパケットの再送信と、ハイブリッド自動再送要求（ＨＡＲＱ：hybrid automatic repeat request）による、順序が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担う。ＭＡＣサブレイヤ５１０はまたＨＡＲＱ動作を担う。
【００２６】
[0037]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担う。
【００２７】
[0038]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担う。
【００２８】
[0039]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相偏移変調（ＢＰＳＫ：binary phase-shift keying）、４位相偏移変調（ＱＰＳＫ：quadrature phase-shift keying）、Ｍ位相偏移変調（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００２９】
[0040]ＵＥ６５０において、各受信機６５４ＲＸは、それのそれぞれのアンテナ６５２を通して信号を受信する。各受信機６５４ＲＸは、ＲＦキャリア上に変調された情報を復元し、その情報を受信（ＲＸ）プロセッサ６５６に与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３０】
[0041]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、暗号解読（deciphering）と、ヘッダ解凍（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００３１】
[0042]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、ロストパケットの再送信、およびｅＮＢ６１０へのシグナリングを担う。
【００３２】
[0043]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３３】
[0044]ＵＬ送信は、ＵＥ６５０における受信機機能に関して説明された方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0045]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、暗号解読と、ヘッダ解凍と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００３５】
[0046]半永続的スケジューリング（ＳＰＳ）および送信時間間隔バンドリング（ＴＴＩバンドリング）は、ボイスオーバーＩＰ（ＶｏＩＰ）トラフィックを処理するために使用される２つの機構である。ＳＰＳは、アップリンクとダウンリンクの両方に適用され、制御オーバーヘッドを最小限に抑える。ＴＴＩバンドリングは、アップリンクに適用され、遅延制約を用いてトラフィックのためのリンクバジェットを改善することを対象とする。従来、ジョイントＴＴＩバンドリング（ＴＴＩ−Ｂ）およびアップリンクＳＰＳ動作がＦＤＤにおいてサポートされる。しかしながら、ＴＤＤにおけるジョイントＴＴＩバンドリング（ＴＴＩ−Ｂ）およびアップリンクＳＰＳ動作は活用されていない。したがって、ＴＤＤにおけるＳＰＳおよびＴＴＩバンドリング（ＴＴＩ−Ｂ）のジョイント動作はまだ展開されていないので、従来のシステムは、ＦＤＤに対してＴＤＤにおけるＶｏＩＰ性能を著しく劣化させることがある。
【００３６】
[0047]１つの問題は、ＴＤＤにおけるＨＡＲＱタイムラインがＳＰＳ動作に関する困難を生じることである。ＨＡＲＱ動作では、ｅＮＢ（たとえば、ｅＮＢ１０６）がＵＥ（たとえば、ＵＥ１０２）からＴＴＩバンドルパケットを正常に受信することができない場合、ｅＮＢへのＴＴＩバンドルパケットの再送信が実行され得る。しかしながら、ＴＴＩバンドルパケットの再送信は、次のＳＰＳ許可に関連する次のＴＴＩバンドルパケットの送信と衝突し得る。すなわち、ＴＴＩバンドルパケットの再送信のために使用されるリソースが、次のＴＴＩバンドルパケットの送信のために使用されるリソースと少なくとも部分的に重複／衝突し得る。衝突が予想されるとき、従来の手法は、衝突を回避するための調整を動的に行う。たとえば、次のＳＰＳ許可が、次のＴＴＩバンドルパケットの送信を回避するためにドロップされるか、またはＴＴＩバンドルパケットの再送信がドロップされるかのいずれかである。
【００３７】
[0048]図７は、従来の手法によるジョイントＳＰＳおよびＴＴＩ−Ｂ動作の一例を示す図７００である。図７の例はアップリンクダウンリンク構成＃１を利用し、ここで、例は、ＴＴＩ−Ｂと、２つのＵＬ  ＨＡＲＱプロセス（たとえば、ＨＡＲＱ０およびＨＡＲＱ１）とをサポートする。ＳＰＳ期間は２０ｍｓであり、典型的なＶｏＩＰ構成では２０ｍｓごとにＳＰＳ許可が発生する。したがって、各ＨＡＲＱプロセスのためのＳＰＳ期間は２０ｍｓである。図７は、ＨＡＲＱ０プロセス７０２のためのＳＰＳ期間が２０ｍｓであることを示している。ＨＡＲＱ１プロセス７０４のためのＳＰＳ期間も２０ｍｓである。図７によれば、ＵＥは、ＨＡＲＱ０プロセス中のサブフレーム１において第１のパケットのための第１のＳＰＳ許可７０６を受信し、それによりＳＰＳ許可をアクティブにする。第１のＳＰＳ許可７０６は、ＵＥがサブフレーム７、８、２、および３において第１のパケットのＴＴＩバンドルパケット（第１のＴＴＩバンドルパケット）７０８を送信することを可能にするための情報を含む。たとえば、第１のＳＰＳ許可７０６は、第１のＴＴＩバンドルパケットを送信するために使用され得るサブフレーム７、８、２、および３などのリソースに関する情報を含み得る。ＵＥは、その後、第１のパケットがｅＮＢにおいて正常に受信されたかどうかを示すｅＮＢからの応答を受信する。応答は、第１のパケットが正常に受信されたことを示すＡＣＫまたは第１のパケットが正常に受信されなかったことを示すＮＡＣＫであり得る。図７に示されている例では、ｅＮＢからの応答は、サブフレーム９において受信されたＮＡＣＫ応答７１０である。ＮＡＣＫ応答７１０は、サブフレーム７、８、２、および３において第１のＴＴＩバンドルパケットの再送信７１２を実行するようにＵＥをトリガする。しかしながら、ＵＥはまた、ＵＥにおいて受信された第１のＳＰＳ許可７０６に基づく、次のＨＡＲＱ０プロセス中の第２のパケットのための第２のＳＰＳ許可７１４を有する。第２のＳＰＳ許可７１４は、第２のパケットのＴＴＩバンドルパケット（第２のＴＴＩバンドルパケット）７１６を送信するために使用され得るサブフレーム７、８、２、および３などのリソースに関する情報を含み得る。第２のＳＰＳ許可７１４は、ＵＥがサブフレーム７、８、２、および３において第２のＴＴＩバンドルパケット７１６を送信することを可能にする。その結果、第１のＴＴＩバンドルパケットの再送信７１２のために使用されるリソースは、第２のＳＰＳ許可７１４に関連する第２のＴＴＩバンドルパケット７１６の送信のために使用されるリソースと重複し、それにより、第１のＴＴＩバンドルパケットの再送信７１２と第２のＴＴＩバンドルパケット７１６の送信との衝突が生じる。
【００３８】
[0049]従来、衝突が予想されるとき、第１のＴＴＩバンドルパケットの再送信７１２がドロップされるか、または、第２のＳＰＳ許可７１４が、第２のＴＴＩバンドルパケット７１６の送信を回避するためにドロップされるかのいずれかであり、それにより衝突を防ぐ。第１のＴＴＩバンドルパケットの再送信７１２をドロップすることにより、第１のパケットの送信が失敗し得、第２のＳＰＳ許可７１４のドロッピングにより、第２のＴＴＩバンドルパケット７１６の送信が生じないので、従来の手法は望ましくないことがある。したがって、再送信またはＳＰＳ許可をドロップすることなしに衝突を回避するための手法が望まれる。
【００３９】
[0050]図７に示されている例においてアップリンクダウンリンク構成＃１が利用されるが、表１のアップリンクダウンリンク構成のうちのいずれも利用され得ることに留意されたい。
【００４０】
【表１】
2016540456.tif 000003
【００４１】
[0051]ＴＤＤにおけるＴＴＩ−Ｂ  ＨＡＲＱ／ＳＰＳ衝突の問題は、ｅＮＢからの１つまたは複数のＳＰＳ誘発アップリンク送信（SPS-induced uplink transmission）を時間オフセットすることによって対処され得る。ＳＰＳ許可によって生じるＴＴＩバンドルパケット送信とＴＴＩバンドルパケットの潜在的な再送信とのパターンがＵＥとｅＮＢとに知られているので、ＵＥは、ＴＴＩバンドルパケットの再送信を遅延させ、別のＴＴＩバンドルパケットの送信との衝突を回避するために、ＳＰＳ誘発アップリンク送信をオフセットし得る。各ＳＰＳ許可は、ＵＥとｅＮＢの両方に知られている、特定のＨＡＲＱプロセス中に発生する。時間オフセットは利用可能なＨＡＲＱプロセスに基づき得る。たとえば、第２のパケットのためのＳＰＳ誘発アップリンク送信が時間オフセットされた場合、第２のパケットのためのＳＰＳ誘発アップリンク送信は、第１のパケットのための送信に対する異なるＨＡＲＱプロセス上で発生する。
【００４２】
[0052]図８は、例示的な一実施形態によるジョイントＳＰＳおよびＴＴＩ−Ｂ動作の第１の例を示す図８００である。図８の例はアップリンクダウンリンク構成＃１を利用し、ここで、例は、ＴＴＩ−Ｂと、２つのＵＬ  ＨＡＲＱプロセス（たとえば、ＨＡＲＱ０およびＨＡＲＱ１）とをサポートする。ＨＡＲＱ１が利用可能である場合、第２のＳＰＳパケットは、衝突を回避するためにＨＡＲＱ０からＨＡＲＱ１にオフセットされ得る。図８において、ＨＡＲＱ０プロセス８０２のためのＳＰＳ期間は２０ｍｓである。ＨＡＲＱ１プロセス８０４のためのＳＰＳ期間も２０ｍｓである。図８において、ＵＥは、ＨＡＲＱプロセス０のためのサブフレーム１において第１のパケットのための第１のＳＰＳ許可８０６を受信し、それによりＳＰＳ許可をアクティブにする。第１のＳＰＳ許可８０６は、ＵＥがサブフレーム７、８、２、および３において第１のパケットのＴＴＩバンドルパケット（第１のＴＴＩバンドルパケット）８０８を送信することを可能にする。ＵＥは、その後、第１のパケットがｅＮＢにおいて正常に受信されたかどうかを示すｅＮＢからのＡＣＫ応答またはＮＡＣＫ応答を受信する。図８に示されている例では、応答は、サブフレーム９において受信されたＮＡＣＫ応答８１０である。ＮＡＣＫ応答８１０は、サブフレーム７、８、２、および３において第１のＴＴＩバンドルパケットの再送信８１２を実行するようにＵＥをトリガする。ＵＥは、ＮＡＣＫ応答８１０に基づいて第１のＴＴＩバンドルパケットの再送信８１２を予想するので、ＵＥは、第１のＴＴＩバンドルパケットの再送信８１２のために使用されるリソースが、次のＳＰＳ許可に関連する次のＴＴＩバンドルパケットの送信のために使用されるリソースと少なくとも部分的に重複するかどうかを決定することによって、衝突が発生するかどうかを決定することができる。衝突が発生するとＵＥが決定した場合、ＵＥは、衝突を回避するために、別のＨＡＲＱプロセスへの第２のＳＰＳ許可の時間オフセットを実行する。図８に示されているように、衝突が発生するとＵＥが決定したとき、ＨＡＲＱ０プロセスにおいて発生する第２のＳＰＳ許可８１４は、次の利用可能なＨＡＲＱプロセス（たとえば、ＨＡＲＱ１プロセス）におけるオフセットロケーション８１６にオフセットされる。その結果、ＵＥは、第２のＳＰＳ許可８１４のためのＳＰＳロケーションをオフセットロケーション８１６であるとして扱い、したがって、第１のＴＴＩバンドルパケットの再送信８１２後に第２のＴＴＩバンドルパケット８１８の遅延送信を実行する。特に、ＵＥは、図８に示されているように第２のＳＰＳ許可８１４をオフセットすることによって第２のＴＴＩバンドルパケット８１８の送信を遅延させるので、ＵＥは、第１のＴＴＩバンドルパケットの再送信８１２と第２のＴＴＩバンドルパケット８１８との衝突を回避することができる。オフセットは、ＳＰＳ許可または再送信をドロップし得る動的スケジューリングなしに実行される。
【００４３】
[0053]さらに、図８に示されているように、第３のパケットのＴＴＩバンドルパケット（第３のＴＴＩバンドルパケット）８２２の送信のためのＨＡＲＱ０プロセス中に、第３のパケットのための第３のＳＰＳ許可８２０が発生し得る。第１のパケットがｅＮＢにおいて正常に受信されなかったことを示すＮＡＣＫ応答８２４をＵＥが受信した場合、ＵＥは第３のＴＴＩバンドルパケットの再送信８２６を実行する。第３のＴＴＩバンドルパケットの再送信８２６との衝突を回避するために、ＵＥは、ＨＡＲＱ０プロセス中に発生する第４のＳＰＳ許可８２８を次のＨＡＲＱプロセス（たとえば、ＨＡＲＱプロセス１）におけるオフセット位置８３０にオフセットする。したがって、第４のパケットのＴＴＩバンドルパケット（第４のＴＴＩバンドルパケット）８２４の送信は、第４のＳＰＳ許可８２８のオフセットにより遅延される。第５のパケットのＴＴＩバンドルパケット（第５のＴＴＩバンドルパケット）８３６の送信のためのＨＡＲＱ０プロセス中に、第５のパケットのための第５のＳＰＳ許可８３４が発生する。図８に示されているプロセスは、その後に続くパケットについて繰り返され得る。したがって、図８の例に基づいて、第３のＴＴＩバンドルパケット、第５のＴＴＩバンドルパケット、および後続の奇数番号のＴＴＩバンドルパケットの場合、ＳＰＳ誘発アップリンク送信は、オフセットをもたないＨＡＲＱ０プロセス中に発生し得る。一方、図８の例に基づいて、第４のＴＴＩバンドルパケット、第６のＴＴＩバンドルパケット、および後続の偶数番号のＴＴＩバンドルパケットの場合、ＳＰＳ誘発アップリンク送信は、オフセットをもつＨＡＲＱプロセスである、ＨＡＲＱ１プロセス中に発生し得る。
【００４４】
[0054]図９は、例示的な一実施形態によるジョイントＳＰＳおよびＴＴＩ−Ｂ動作の第２の例を示す図９００である。図８の例と同様に、図９の例はアップリンクダウンリンク構成＃１を利用し、ここで、例は、Ｒｅｌ−８におけるＴＴＩ−Ｂと、２つのＵＬ  ＨＡＲＱプロセス（たとえば、ＨＡＲＱ０およびＨＡＲＱ１）とをサポートする。図９において、ＨＡＲＱ０プロセス９０２のためのＳＰＳ期間は２０ｍｓである。ＨＡＲＱ１プロセス９０４のためのＳＰＳ期間も２０ｍｓである。図９において、ＵＥは、ＵＥがサブフレーム７、８、２、および３において第１のＴＴＩバンドルパケット９０８を送信することを可能にする第１のＳＰＳ許可９０６を受信し、それによりＳＰＳ許可をアクティブにする。図９に示されている例では、ＵＥは、第１のＴＴＩバンドルパケット９０８の送信がｅＮＢにおいて正常に受信されなかったことを示すＮＡＣＫ応答９１０を受信する。ＮＡＣＫ応答９１０は、サブフレーム７、８、２、および３において第１のＴＴＩバンドルパケットの第１の再送信９１２を実行するようにＵＥをトリガする。ＵＥは、ＮＡＣＫ応答９１０に基づいて第１のＴＴＩバンドルパケットの第１の再送信９１２を予想するので、第１のＴＴＩバンドルパケットの第１の再送信９１２との衝突を回避するために、ＨＡＲＱ０プロセスにおいて発生する第２のＳＰＳ許可９１４が、次の利用可能なＨＡＲＱプロセス（たとえば、ＨＡＲＱ１プロセス）におけるオフセットロケーション８１６にオフセットされる。その結果、ＵＥは、第２のＳＰＳ許可９１４のためのＳＰＳロケーションをオフセットロケーション９１６であるとして扱い、したがって、第１のＴＴＩバンドルパケットの再送信９１２後に第２のＴＴＩバンドルパケット９１８の送信を実行し、それにより、第１のＴＴＩバンドルパケットの再送信９１２との衝突を回避する。
【００４５】
[0055]しかしながら、第１のＴＴＩバンドルパケットの第１の再送信９１２がｅＮＢにおいて正常に受信されなかったことを示すＮＡＣＫ応答９２０をＵＥが受信した場合、ＵＥは、第１のＴＴＩバンドルパケットの第２の再送信９２２を実行する。ＵＥは、ＮＡＣＫ応答９２０に基づいて第１のＴＴＩバンドルパケットの第２の再送信９２２を予想するので、第１のＴＴＩバンドルパケットの第２の再送信９２２との衝突を回避するために、ＨＡＲＱ０プロセスにおいて受信された第３のＳＰＳ許可９２４が、次の利用可能なＨＡＲＱプロセス（たとえば、ＨＡＲＱ１プロセス）におけるオフセットロケーション９２６にオフセットされる。ＵＥは、オフセットロケーション９２６を第３のＳＰＳ許可９２４のためのＳＰＳロケーションであるとして扱うので、ＵＥは、第１のＴＴＩバンドルパケットの第２の再送信９２２後に第３のＴＴＩバンドルパケット９２８の送信を実行する。次いで、図９の例では、ＵＥは、第４のＴＴＩバンドルパケット９３２の送信を可能にするためにＨＡＲＱ０プロセスにおいて第４のＳＰＳ許可９３０を有し、その後、第５のＴＴＩバンドルパケット９３６の送信を可能にするためにＨＡＲＱ０プロセスにおいて第５のＳＰＳ許可９３４を有する。
【００４６】
[0056]ＳＰＳ誘発アップリンク送信のためのＨＡＲＱオフセットの適用が次のように規格化され得ることに留意されたい。特に、オフセットはＴＤＤ  ＵＬ／ＤＬ構成に依存し得る。各ＵＬ／ＤＬ構成がＵＬおよびＤＬのための異なるサブフレーム使用を有するので、オフセットは、ＴＤＤ  ＵＬ／ＤＬ構成に応じて異なる様式で適用される。様々なＵＬ／ＤＬ構成が表１に示されている。オフセットはまた、ＨＡＲＱプロセスの利用可能な数に依存し得る。たとえば、３つのＨＡＲＱプロセスがある場合、ＵＥは、オフセット＝０（たとえば、オフセットなし）と、オフセット＝１（たとえば、第１のＨＡＲＱプロセスから第２のＨＡＲＱプロセスへのオフセット）と、オフセット＝２（たとえば、第１のＨＡＲＱプロセスから第３のＨＡＲＱプロセスへのオフセット）とである、３つの異なるオフセットから、適用すべきオフセットを選択し得る。さらに、プロセスが早期に終了した場合、ＨＡＲＱオフセッティングが実行されないことがある。特に、ｅＮＢがＴＴＩバンドルパケットからパケットを正常に受信した場合、ＴＴＩバンドルパケットの再送信は必要ではなく、したがって、衝突は発生しない。たとえば、図８に示された例では、第１のパケットが第１のＴＴＩバンドルパケット８０６の第１の送信中で正常に受信された場合、第１のＴＴＩバンドルパケットの再送信は必要ではなく、したがって、次のＴＴＩバンドルパケットは、衝突を回避するためにＳＰＳ許可をオフセットすることなしに送信され得る。
【００４７】
[0057]ＳＰＳ誘発アップリンク送信のためのＳＰＳ許可のＨＡＲＱオフセットを決定するために、いくつかの手法が実装され得る。以下の手法は、単独でまたは互いに組み合わせて利用され得ることに留意されたい。第１の手法では、ＨＡＲＱオフセット決定するために、固定ＲＲＣ構成が使用され、ここで、ＲＲＣ情報はｅＮＢから受信される。ＲＲＣ情報は、第１の「ｋ個」のＳＰＳインスタンスのための固定オフセットを構成し得、ＨＡＲＱオフセットは、固定オフセット構成に従って適用される。たとえば、ＲＲＣ構成は、第１のパケットの場合、オフセットが適用されず、第２のパケットの場合、オフセットが適用され、第３のパケットの場合、オフセットが適用されることを示し得る。オフセットは、ＲＲＣ構成に従ってサイクリックに繰り返し得る。ＲＲＣ構成が各ＳＰＳインスタンスのための固定オフセット設定を行うので、早期終了によりオフセットが必要ではない場合でも、オフセットは、ＲＲＣ構成に従って適用される。第１の手法が、図８に示された例において適用される場合、ＲＲＣ構成は、ｋ＝０の場合、ＨＡＲＱオフセットがなく、ｋ＝１の場合、１つのＨＡＲＱオフセットがあることを示し得る。したがって、図８に示された例では、偶数番号のパケットの場合、１つのＨＡＲＱオフセットがあり、奇数番号のパケットの場合、ＨＡＲＱオフセットがない。したがって、オフセットは、ｋ＝０の場合にオフセットなしを示し、ｋ＝１の場合に１つのオフセットを示す、ＲＲＣ構成に従ってサイクリックに繰り返される。ｋ＝１の場合、オフセットは、ＲＲＣオフセット構成が固定構成であるので、衝突が予想されるか否かにかかわらず適用されることに留意されたい。さらに、代替として、ＨＡＲＱオフセットの代わりに、対応するサブフレームオフセットが定義され得る。
【００４８】
[0058]第２の手法によれば、ＵＥは、ＳＰＳ誘発アップリンク送信のための異なるタイプの可能なオフセットのリストを含む。したがって、ＵＥは、可能なオフセットのリスト中のオフセット値の順序に従ってオフセットを適用し得る。可能なオフセットのリストに従って、ＳＰＳ誘発アップリンク送信へのオフセット値の適用がサイクリックに繰り返され得る。
【００４９】
[0059]第３の手法によれば、指示に基づいて送信をオフセットするために、ＵＥのための情報をスケジュールする際に指示が与えられる。たとえば、指示は、ｅＮＢからＵＥに送られる、ダウンリンク制御情報（ＤＣＩ）に含まれ得る。第３の手法による、オフセットを適用するための指示は、衝突を回避するためにオフセットが必要とされるときに与えられる。
【００５０】
[0060]第４の手法によれば、衝突が検出されたとき、ＵＥはＳＰＳ誘発アップリンク送信を次の利用可能なＨＡＲＱプロセスにオフセットする。第４の手法は、ＵＥとｅＮＢが両方ともＵＥとｅＮＢの両方に共通の同じ暗黙的ルールに従うことに依拠し得る。暗黙的ルールの一例は、ＨＡＲＱプロセス０上で衝突がある場合、ＳＰＳ誘発アップリンク送信をＨＡＲＱプロセス１にオフセットするためにＳＰＳ許可をオフセットし、ＨＡＲＱプロセス１が利用可能でない場合、ＳＰＳ誘発アップリンク送信をＨＡＲＱプロセス２にオフセットするためにＳＰＳ許可をオフセットすることであり得る。暗黙的ルールは、固定ルールではなく、衝突が検出され、衝突を回避するためにオフセッティングが必要とされると、適用され得る。
【００５１】
[0061]図１０は、ワイヤレス通信の方法のフローチャート１０００である。本方法はＵＥによって実行され得る。ステップ１００２において、ＵＥは、第１のＨＡＲＱプロセスの第１の期間中の第１のパケットの送信を示すＳＰＳメッセージを受信する。ステップ１０１０において、ＵＥは、送信時間間隔バンドル（ＴＴＩバンドル）送信のためのアップリンク／ダウンリンク構成を受信する。ステップ１００４において、ＵＥは、第１のＨＡＲＱプロセスの第１の期間中に第１のリソース上で第１のＴＴＩバンドルパケットを送信する。たとえば、上記で説明したように、図８によれば、ＵＥは、ＨＡＲＱプロセス０のためのサブフレーム１において第１のパケットのための第１のＳＰＳ許可８０６を受信し、第１のＳＰＳ許可８０６は、ＵＥがサブフレーム７、８、２、および３において第１のパケットバンドル８０８を送信することを可能にする。ステップ１００６において、ＵＥは、ＳＰＳメッセージに基づいて、第１のＨＡＲＱプロセスの第２の期間中に第２のＴＴＩバンドルパケットを送信するための第２のリソースを識別する。最後に、ステップ１００８において、ＵＥは、第２のＴＴＩバンドルパケットを送信するための第２のリソースのうちの少なくとも１つが、第１のＨＡＲＱプロセスに従って第１のＴＴＩバンドルパケットを再送信するために使用される少なくとも１つのリソースと重複するとき、第２のＴＴＩバンドルパケットの送信を第２のＨＡＲＱプロセスの期間にオフセットすべきかどうかを決定する。たとえば、上記で説明したように、図８によれば、ＵＥにおいて、第２のＳＰＳ許可８１４は、第１のＨＡＲＱプロセスの第２の期間中に第２のＴＴＩバンドルパケットを送信するための第２のリソースを識別するために、受信された第１のＳＰＳ許可８０６に基づいて発生する。ＵＥは、第１のＴＴＩバンドルパケットの再送信８１２のために使用されるリソースが、次のＳＰＳ許可に関連する次のＴＴＩバンドルパケットの送信のために使用されるリソースと少なくとも部分的に重複するかどうかを決定することによって、衝突が発生するかどうかを決定することができる。衝突が発生するとＵＥが決定した場合、ＵＥは、衝突を回避するために第２のＴＴＩバンドルパケットの送信を遅延させる、別のＨＡＲＱプロセスへの第２のＳＰＳ許可の時間オフセットを実行する。
【００５２】
[0062]ステップ１００８における決定は、アップリンク／ダウンリンク構成または複数のＨＡＲＱプロセスの中の利用可能なＨＡＲＱプロセスの数のうちの少なくとも１つに基づき得る。さらに、第２のＴＴＩバンドルパケットの送信は、送信された第１のＴＴＩバンドルパケットが第１のＨＡＲＱプロセスの第１の期間中に正常に受信されたとき、第２のＨＡＲＱプロセスの期間にオフセットされないことがある。
【００５３】
[0063]第１の手法によれば、オフセットの１つまたは複数の値は、基地局から受信されたあらかじめ決定されたＳＰＳインスタンスのためのＲＲＣ構成に基づいて決定され得る。１つまたは複数のオフセット値は、あらかじめ決定されたＳＰＳインスタンスのためのＲＲＣ構成に基づいてサイクリックに繰り返され得る。第２の手法によれば、オフセットの１つまたは複数の値は、あらかじめ定義されたオフセットのリストに基づいて決定され得る。１つまたは複数のオフセット値は、あらかじめ定義されたオフセットのリストに基づいてサイクリックに繰り返され得る。第３の手法によれば、オフセットの１つまたは複数の値は、基地局から受信された情報をスケジュールする際に与えられる指示に基づいて決定され得る。第４の手法によれば、第２のＴＴＩバンドルパケットの送信を第２のＨＡＲＱプロセスの期間にオフセットすべきかどうかを決定することは、第２のＴＴＩバンドルパケットを送信するための第２のリソースのうちの少なくとも１つが、第１のＴＴＩバンドルパケットを再送信するために使用される少なくとも１つのリソースと重複し、第１のパケットの再送信が予想される場合、第２のＴＴＩバンドルパケットを送信するための次の利用可能なＨＡＲＱプロセスと、次の利用可能なＨＡＲＱプロセスのための対応するオフセット値とを決定することを含み得る。第２のＴＴＩバンドルパケットの送信を第２のＨＡＲＱプロセスの期間にオフセットすべきかどうかを決定することは、第２のＴＴＩバンドルパケットを送信するための第２のリソースのうちの少なくとも１つが、第１のＴＴＩバンドルパケットを再送信するために使用される少なくとも１つのリソースと重複し、第２のＴＴＩバンドルパケットを送信するための他の利用可能なＨＡＲＱプロセスがない場合、第１のＴＴＩバンドルパケットの再送信をドロップすることをさらに含み得る。
【００５４】
[0064]図１１は、例示的な装置１１０２中の異なるモジュール／手段／構成要素間のデータフローを示す概念データフロー図１２００である。本装置はＵＥであり得る。本装置は受信モジュール１１０４とＳＰＳモジュール１１０６とを含み、ここで、ＳＰＳモジュール１１０６は、受信モジュール１１０４を介して、第１のＨＡＲＱプロセスの第１の期間中の第１のパケットの送信を示すｅＮＢ１１５０からのＳＰＳメッセージを受信する。ＳＰＳモジュール１１０６はまた、受信モジュールを介してＴＴＩバンドル送信のためのアップリンク／ダウンリンク構成を受信した。本装置はＴＴＩ−Ｂモジュール１１０８と送信モジュール１１１０とを含み、ここで、ＴＴＩ−Ｂモジュール１１０８は、送信モジュール１１１０を介して、第１のＨＡＲＱプロセスの第１の期間中に第１のリソース上で第１のＴＴＩバンドルパケットをｅＮＢ１１５０に送信する。ＳＰＳモジュール１１０６はまた、ＳＰＳメッセージに基づいて、第１のＨＡＲＱプロセスの第２の期間中に第２のＴＴＩバンドルパケットを送信するための第２のリソースを識別する。本装置は、第２のＴＴＩバンドルパケットを送信するための第２のリソースのうちの少なくとも１つが、第１のＨＡＲＱプロセスに従って第１のＴＴＩバンドルパケットを再送信するために使用される少なくとも１つのリソースと重複するとき、第２のＴＴＩバンドルパケットの送信を第２のＨＡＲＱプロセスの期間にオフセットすべきかどうかを決定する、決定モジュール１１１２を含む。
【００５５】
[0065]本装置は、図１０の上述のフローチャート中のアルゴリズムのステップの各々を実行する追加のモジュールを含み得る。したがって、図１０の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００５６】
[0066]図１２は、処理システム１２１４を採用する装置１１０２’のためのハードウェア実装形態の一例を示す図１２００である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２０４によって表される１つまたは複数のプロセッサおよび／またはハードウェアモジュールと、モジュール１１０４、１１０６、１１０８、１１１０、および１１１２と、コンピュータ可読媒体／メモリ１２０６とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【００５７】
[0067]処理システム１２１４はトランシーバ１２１０に結合され得る。トランシーバ１２１０は１つまたは複数のアンテナ１２２０に結合される。トランシーバ１２１０は、伝送媒体を介して様々な他の装置と通信するための手段を与える。トランシーバ１２１０は、１つまたは複数のアンテナ１２２０から信号を受信し、受信された信号から情報を抽出し、抽出された情報を処理システム１２１４、特に受信モジュール１１０４に与える。さらに、トランシーバ１２１０は、処理システム１２１４、特に送信モジュール１１１０から情報を受信し、受信された情報に基づいて、１つまたは複数のアンテナ１２２０に適用されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む一般的な処理を担う。ソフトウェアは、プロセッサ１２０４によって実行されたとき、処理システム１２１４に、特定の装置のための上記で説明した様々な機能を実行させる。コンピュータ可読媒体／メモリ１２０６はまた、ソフトウェアを実行するときにプロセッサ１２０４によって操作されるデータを記憶するために使用され得る。処理システムは、モジュール１１０４、１１０６、１１０８、１１１０、および１１１２のうちの少なくとも１つをさらに含む。それらのモジュールは、プロセッサ１２０４中で動作するか、コンピュータ可読媒体／メモリ１２０６中に常駐する／記憶されたソフトウェアモジュールであるか、プロセッサ１２０４に結合された１つまたは複数のハードウェアモジュールであるか、またはそれらの何らかの組合せであり得る。処理システム１２１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００５８】
[0068]一構成では、ワイヤレス通信のための装置１１０２／１１０２’は、第１のハイブリッド自動再送要求（ＨＡＲＱ）プロセスの第１の期間中の第１のパケットの送信を示す第１の半永続的スケジューリング（ＳＰＳ）メッセージを受信するための手段と、送信時間間隔バンドル（ＴＴＩバンドル）送信のためのアップリンク／ダウンリンク構成を受信するための手段と、第１のＨＡＲＱプロセスの第１の期間中に第１のリソース上で第１のＴＴＩバンドルパケットを送信するための手段と、ＳＰＳメッセージに基づいて、第１のＨＡＲＱプロセスの第２の期間中に第２のＴＴＩバンドルパケットを送信するための第２のリソースを識別するための手段と、第２のＴＴＩバンドルパケットを送信するための第２のリソースのうちの少なくとも１つが、第１のＨＡＲＱプロセスに従って第１のＴＴＩバンドルパケットを再送信するために使用される少なくとも１つのリソースと重複するとき、第２のＴＴＩバンドルパケットの送信を第２のＨＡＲＱプロセスの期間にオフセットすべきかどうかを決定するための手段とを含む。上述の手段は、上述の手段によって具陳された機能を実行するように構成された、装置１１０２、および／または装置１１０２’の処理システム１２１４の上述のモジュールのうちの１つまたは複数であり得る。上記で説明したように、処理システム１２１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００５９】
[0069]開示されたプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００６０】
[0070]以上の説明は、当業者が本明細書で説明した様々な態様を実行することができるようにするために提供したものである。これらの態様に対する様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示するいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
【図１】
2016540456.tif 000004
【図２】
2016540456.tif 000005
【図３】
2016540456.tif 000006
【図４】
2016540456.tif 000007
【図５】
2016540456.tif 000008
【図６】
2016540456.tif 000009
【図７】
2016540456.tif 000010
【図８】
2016540456.tif 000011
【図９】
2016540456.tif 000012
【図１０】
2016540456.tif 000013
【図１１】
2016540456.tif 000014
【図１２】
2016540456.tif 000015
【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
第１のハイブリッド自動再送要求（ＨＡＲＱ）プロセスの第１の期間中の第１のパケットの送信を示す半永続的スケジューリング（ＳＰＳ）メッセージを受信することと、
少なくとも１つの送信時間間隔バンドル（ＴＴＩバンドル）送信のための時分割複信（ＴＤＤ）アップリンク／ダウンリンク（ＵＬ／ＤＬ）構成を受信することと、
前記第１のＨＡＲＱプロセスの前記第１の期間中に第１のリソース上で第１のＴＴＩバンドルパケットを送信すること、前記第１のリソースは、前記ＴＤＤ  ＵＬ／ＤＬ構成に基づいて識別される、と、
前記ＳＰＳメッセージに基づいて、前記第１のＨＡＲＱプロセスの第２の期間中に第２のＴＴＩバンドルパケットを送信するための第２のリソースを、前記ＴＤＤ  ＵＬ／ＤＬ構成に基づいて、識別することと、
前記第１のＴＴＩバンドルパケットを再送信すべきかどうかを決定することと、
前記第１のＴＴＩバンドルパケットが再送信されるべきであると決定される場合、前記第１のＴＴＩバンドルパケットを再送信するための再送信リソースを、前記ＴＤＤ  ＵＬ／ＤＬ構成に基づいて、識別することと、
前記第２のＴＴＩバンドルパケットを送信するための前記第２のリソースのうちの少なくとも１つが、前記第１のＴＴＩバンドルパケットを再送信するために使用される前記再送信リソースのうちの少なくとも１つと重複する場合に、前記第２のＴＴＩバンドルパケットの送信を第２のＨＡＲＱプロセスの期間にオフセットすべきかどうかを決定することと
を備える、ワイヤレス通信の方法。
【請求項２】
前記第２のＴＴＩバンドルパケットの送信をオフセットすべきかどうかの前記決定することは、
前記ＴＤＤ  ＵＬ／ＤＬ構成、または、
前記複数のＨＡＲＱプロセスの中の利用可能なＨＡＲＱプロセスの数
のうちの少なくとも１つに基づく、
請求項１に記載の方法。
【請求項３】
前記オフセットの１つまたは複数の値は、基地局から受信されたあらかじめ決定されたＳＰＳインスタンスのための無線リソース制御（ＲＲＣ）構成に基づいて決定される、
請求項１に記載の方法。
【請求項４】
前記１つまたは複数のオフセット値は、前記あらかじめ決定されたＳＰＳインスタンスのための前記ＲＲＣ構成に基づいてサイクリックに繰り返される、
請求項３に記載の方法。
【請求項５】
前記オフセットの１つまたは複数の値は、あらかじめ定義されたオフセットのリストに基づいて決定される、
請求項１に記載の方法。
【請求項６】
前記１つまたは複数のオフセット値は、あらかじめ定義されたオフセットの前記リストに基づいてサイクリックに繰り返される、
請求項５に記載の方法。
【請求項７】
前記オフセットの１つまたは複数の値は、基地局から受信された情報をスケジュールする際に与えられる指示に基づいて決定される、
請求項１に記載の方法。
【請求項８】
前記第２のＴＴＩバンドルパケットの前記送信を前記第２のＨＡＲＱプロセスの前記期間にオフセットすべきかどうかを前記決定することは、
前記第２のＴＴＩバンドルパケットを送信するための次の利用可能なＨＡＲＱプロセスと、前記次の利用可能なＨＡＲＱプロセスのための対応するオフセット値とを決定することをさらに備える、
請求項１に記載の方法。
【請求項９】
前記第２のＴＴＩバンドルパケットの前記送信を前記第２のＨＡＲＱプロセスの前記期間にオフセットすべきかどうかを前記決定することは、
前記第２のＴＴＩバンドルパケットを送信するための前記第２のリソースのうちの前記少なくとも１つが、前記第１のＴＴＩバンドルパケットを再送信するために使用される前記再送信リソースのうちの前記少なくとも１つと重複し、
前記第２のＴＴＩバンドルパケットを送信するための他の利用可能なＨＡＲＱプロセスがない場合、
前記第１のＴＴＩバンドルパケットの前記再送信をドロップすることをさらに備える、
請求項８に記載の方法。
【請求項１０】
第１のハイブリッド自動再送要求（ＨＡＲＱ）プロセスの第１の期間中の第１のパケットの送信を示す半永続的スケジューリング（ＳＰＳ）メッセージを受信するための手段と、
少なくとも１つの送信時間間隔バンドル（ＴＴＩバンドル）送信のための時分割複信（ＴＤＤ）アップリンク／ダウンリンク（ＵＬ／ＤＬ）構成を受信するための手段と、
前記第１のＨＡＲＱプロセスの前記第１の期間中に第１のリソース上で第１のＴＴＩバンドルパケットを送信するための手段、前記第１のリソースは、前記ＴＤＤ  ＵＬ／ＤＬ構成に基づいて識別される、と、
前記ＳＰＳメッセージに基づいて、前記第１のＨＡＲＱプロセスの第２の期間中に第２のＴＴＩバンドルパケットを送信するための第２のリソースを、前記ＴＤＤ  ＵＬ／ＤＬ構成に基づいて、識別するための手段と、
前記第１のＴＴＩバンドルパケットを再送信すべきかどうかを決定するための手段と、
前記第１のＴＴＩバンドルパケットが再送信されるべきであると決定される場合、前記第１のＴＴＩバンドルパケットを再送信するための再送信リソースを、前記ＴＤＤ  ＵＬ／ＤＬ構成に基づいて、識別するための手段と、
前記第２のＴＴＩバンドルパケットを送信するための前記第２のリソースのうちの少なくとも１つが、前記第１のＴＴＩバンドルパケットを再送信するために使用される前記再送信リソースのうちの少なくとも１つと重複する場合、前記第２のＴＴＩバンドルパケットの送信を第２のＨＡＲＱプロセスの期間にオフセットすべきかどうかを決定するための手段と
を備える、ワイヤレス通信のための装置。
【請求項１１】
前記第２のＴＴＩバンドルパケットの送信をオフセットすべきかどうかを前記決定するための手段は、
前記ＴＤＤ  ＵＬ／ＤＬ構成、または、
前記複数のＨＡＲＱプロセスの中の利用可能なＨＡＲＱプロセスの数
のうちの少なくとも１つに基づいて決定する、
請求項１０に記載の装置。
【請求項１２】
前記オフセットの１つまたは複数の値は、基地局から受信されたあらかじめ決定されたＳＰＳインスタンスのための無線リソース制御（ＲＲＣ）構成に基づいて決定される、
請求項１０に記載の装置。
【請求項１３】
前記１つまたは複数のオフセット値は、前記あらかじめ決定されたＳＰＳインスタンスのための前記ＲＲＣ構成に基づいてサイクリックに繰り返される、
請求項１２に記載の装置。
【請求項１４】
前記オフセットの１つまたは複数の値は、あらかじめ定義されたオフセットのリストに基づいて決定される、
請求項１０に記載の装置。
【請求項１５】
前記１つまたは複数のオフセット値は、あらかじめ定義されたオフセットの前記リストに基づいてサイクリックに繰り返される、請求項１４に記載の装置。
【請求項１６】
前記オフセットの１つまたは複数の値は、基地局から受信された情報をスケジュールする際に与えられる指示に基づいて決定される、
請求項１０に記載の装置。
【請求項１７】
前記第２のＴＴＩバンドルパケットの前記送信を前記第２のＨＡＲＱプロセスの前記期間にオフセットすべきかどうかを前記決定するための手段は、
前記第２のＴＴＩバンドルパケットを送信するための次の利用可能なＨＡＲＱプロセスと、前記次の利用可能なＨＡＲＱプロセスのための対応するオフセット値とを決定することを行うようにさらに構成された、
請求項１０に記載の装置。
【請求項１８】
前記第２のＴＴＩバンドルパケットの前記送信を前記第２のＨＡＲＱプロセスの前記期間にオフセットすべきかどうかを前記決定するための手段は、
前記第２のＴＴＩバンドルパケットを送信するための前記第２のリソースのうちの前記少なくとも１つが、前記第１のＴＴＩバンドルパケットを再送信するために使用される前記再送信リソースのうちの前記少なくとも１つと重複し、
前記第２のＴＴＩバンドルパケットを送信するための他の利用可能なＨＡＲＱプロセスがない場合、
前記第１のＴＴＩバンドルパケットの前記再送信をドロップすること
を行うようにさらに構成された、請求項１７に記載の装置。
【請求項１９】
メモリと、
前記メモリに結合された少なくとも１つのプロセッサと
を備え、前記少なくとも１つのプロセッサは、
第１のハイブリッド自動再送要求（ＨＡＲＱ）プロセスの第１の期間中の第１のパケットの送信を示す半永続的スケジューリング（ＳＰＳ）メッセージを受信することと、
少なくとも１つの送信時間間隔バンドル（ＴＴＩバンドル）送信のための時分割複信（ＴＤＤ）アップリンク／ダウンリンク（ＵＬ／ＤＬ）構成を受信することと、
前記第１のＨＡＲＱプロセスの前記第１の期間中に第１のリソース上で第１のＴＴＩバンドルパケットを送信すること、前記第１のリソースは、前記ＴＤＤ  ＵＬ／ＤＬ構成に基づいて識別される、と、
前記ＳＰＳメッセージに基づいて、前記第１のＨＡＲＱプロセスの第２の期間中に第２のＴＴＩバンドルパケットを送信するための第２のリソースを、前記ＴＤＤ  ＵＬ／ＤＬ構成に基づいて、識別することと、
前記第１のＴＴＩバンドルパケットを再送信すべきかどうかを決定することと、
前記第１のＴＴＩバンドルパケットが再送信されるべきであると決定される場合、前記第１のＴＴＩバンドルパケットを再送信するための再送信リソースを、前記ＴＤＤ  ＵＬ／ＤＬ構成に基づいて、識別することと、
前記第２のＴＴＩバンドルパケットを送信するための前記第２のリソースのうちの少なくとも１つが、前記第１のＴＴＩバンドルパケットを再送信するために使用される前記再送信リソースのうちの少なくとも１つと重複する場合、前記第２のＴＴＩバンドルパケットの送信を第２のＨＡＲＱプロセスの期間にオフセットすべきかどうかを決定することと
を行うように構成された、ワイヤレス通信のための装置。
【請求項２０】
前記第２のＴＴＩバンドルパケットの送信をオフセットすべきかどうかを決定するように構成された前記少なくとも１つのプロセッサは、
前記ＴＤＤ  ＵＬ／ＤＬ構成、または、
前記複数のＨＡＲＱプロセスの中の利用可能なＨＡＲＱプロセスの数
のうちの少なくとも１つに基づいて決定する、
請求項１９に記載の装置。
【請求項２１】
前記オフセットの１つまたは複数の値は、基地局から受信されたあらかじめ決定されたＳＰＳインスタンスのための無線リソース制御（ＲＲＣ）構成に基づいて決定される、
請求項１９に記載の装置。
【請求項２２】
前記１つまたは複数のオフセット値は、前記あらかじめ決定されたＳＰＳインスタンスのための前記ＲＲＣ構成に基づいてサイクリックに繰り返される、
請求項２１に記載の装置。
【請求項２３】
前記オフセットの１つまたは複数の値は、あらかじめ定義されたオフセットのリストに基づいて決定される、
請求項１９に記載の装置。
【請求項２４】
前記オフセットの１つまたは複数の値は、基地局から受信された情報をスケジュールする際に与えられる指示に基づいて決定される、
請求項１９に記載の装置。
【請求項２５】
前記第２のＴＴＩバンドルパケットの前記送信を前記第２のＨＡＲＱプロセスの前記期間にオフセットすべきかどうかを決定するように構成された前記少なくとも１つのプロセッサは、
前記第２のＴＴＩバンドルパケットを送信するための次の利用可能なＨＡＲＱプロセスと、前記次の利用可能なＨＡＲＱプロセスのための対応するオフセット値とを決定すること
を行うようにさらに構成された、請求項１９に記載の装置。
【請求項２６】
前記第２のＴＴＩバンドルパケットの前記送信を前記第２のＨＡＲＱプロセスの前記期間にオフセットすべきかどうかを決定するように構成された前記少なくとも１つのプロセッサは、
前記第２のＴＴＩバンドルパケットを送信するための前記第２のリソースのうちの前記少なくとも１つが、前記第１のＴＴＩバンドルパケットを再送信するために使用される前記再送信リソースのうちの前記少なくとも１つと重複し、
前記第２のＴＴＩバンドルパケットを送信するための他の利用可能なＨＡＲＱプロセスがない場合、
前記第１のＴＴＩバンドルパケットの前記再送信をドロップすることを行うようにさらに構成された、
請求項２５に記載の装置。
【請求項２７】
コンピュータ可読媒体に記憶されたコンピュータプログラム製品であって、少なくとも１つのプロセッサ上で実行されると、前記少なくとも１つのプロセッサに、
第１のハイブリッド自動再送要求（ＨＡＲＱ）プロセスの第１の期間中の第１のパケットの送信を示す半永続的スケジューリング（ＳＰＳ）メッセージを受信することと、
少なくとも１つの送信時間間隔バンドル（ＴＴＩバンドル）送信のための時分割複信（ＴＤＤ）アップリンク／ダウンリンク（ＵＬ／ＤＬ）構成を受信することと、
前記第１のＨＡＲＱプロセスの前記第１の期間中に第１のリソース上で第１のＴＴＩバンドルパケットを送信することと、前記第１のリソースは、前記ＴＤＤ  ＵＬ／ＤＬ構成に基づいて識別される、
前記ＳＰＳメッセージに基づいて、前記第１のＨＡＲＱプロセスの第２の期間中に第２のＴＴＩバンドルパケットを送信するための第２のリソースを、前記ＴＤＤ  ＵＬ／ＤＬ構成に基づいて、識別することと、
前記第１のＴＴＩバンドルパケットを再送信すべきかどうかを決定することと、
前記第１のＴＴＩバンドルパケットが再送信されるべきであると決定される場合、前記第１のＴＴＩバンドルパケットを再送信するための再送信リソースを、前記ＴＤＤ  ＵＬ／ＤＬ構成に基づいて、識別することと、
前記第２のＴＴＩバンドルパケットを送信するための前記第２のリソースのうちの少なくとも１つが、前記第１のＴＴＩバンドルパケットを再送信するために使用される前記再送信リソースのうちの少なくとも１つと重複する場合、前記第２のＴＴＩバンドルパケットの送信を第２のＨＡＲＱプロセスの期間にオフセットすべきかどうかを決定することと
を行わせるコードを備える、コンピュータプログラム製品。
【手続補正２】
【補正対象書類名】明細書
【補正対象項目名】００６０
【補正方法】変更
【補正の内容】
【００６０】
[0070]以上の説明は、当業者が本明細書で説明した様々な態様を実行することができるようにするために提供したものである。これらの態様に対する様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示するいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、出願当初の特許請求の範囲に記載された発明を付記する。
［Ｃ１］
第１のハイブリッド自動再送要求（ＨＡＲＱ）プロセスの第１の期間中の第１のパケットの送信を示す半永続的スケジューリング（ＳＰＳ）メッセージを受信することと、
送信時間間隔バンドル（ＴＴＩバンドル）送信のためのアップリンク／ダウンリンク構成を受信することと、
前記第１のＨＡＲＱプロセスの前記第１の期間中に前記第１のリソース上で第１のＴＴＩバンドルパケットを送信することと、
前記ＳＰＳメッセージに基づいて、前記第１のＨＡＲＱプロセスの第２の期間中に第２のＴＴＩバンドルパケットを送信するための第２のリソースを識別することと、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすべきかどうかを決定することと
を備える、ワイヤレス通信の方法。
［Ｃ２］
前記決定することは、前記アップリンク／ダウンリンク構成または前記複数のＨＡＲＱプロセスの中の利用可能なＨＡＲＱプロセスの数のうちの少なくとも１つに基づく、
Ｃ１に記載の方法。
［Ｃ３］
前記第２のＴＴＩバンドルパケットの前記送信は、前記送信された第１のＴＴＩバンドルパケットが前記第１のＨＡＲＱプロセスの前記第１の期間中に正常に受信されたとき、前記第２のＨＡＲＱプロセスの前記期間にオフセットされない、
Ｃ１に記載の方法。
［Ｃ４］
前記オフセットの１つまたは複数の値は、基地局から受信されたあらかじめ決定されたＳＰＳインスタンスのための無線リソース制御（ＲＲＣ）構成に基づいて決定される、
Ｃ１に記載の方法。
［Ｃ５］
前記１つまたは複数のオフセット値は、前記あらかじめ決定されたＳＰＳインスタンスのための前記ＲＲＣ構成に基づいてサイクリックに繰り返される、
Ｃ４に記載の方法。
［Ｃ６］
前記オフセットの１つまたは複数の値は、あらかじめ定義されたオフセットのリストに基づいて決定される、
Ｃ１に記載の方法。
［Ｃ７］
前記１つまたは複数のオフセット値は、あらかじめ定義されたオフセットの前記リストに基づいてサイクリックに繰り返される、
Ｃ６に記載の方法。
［Ｃ８］
前記オフセットの１つまたは複数の値は、基地局から受信された情報をスケジュールする際に与えられる指示に基づいて決定される、
Ｃ１に記載の方法。
［Ｃ９］
前記第２のＴＴＩバンドルパケットの前記送信を前記第２のＨＡＲＱプロセスの前記期間にオフセットすべきかどうかを前記決定することは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第１のパケットの前記再送信が予想される場合、前記第２のＴＴＩバンドルパケットを送信するための次の利用可能なＨＡＲＱプロセスと、前記次の利用可能なＨＡＲＱプロセスのための対応するオフセット値とを決定することを備える、
Ｃ１に記載の方法。
［Ｃ１０］
前記第２のＴＴＩバンドルパケットの前記送信を前記第２のＨＡＲＱプロセスの前記期間にオフセットすべきかどうかを前記決定することは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第２のＴＴＩバンドルパケットを送信するための他の利用可能なＨＡＲＱプロセスがない場合、前記第１のＴＴＩバンドルパケットの前記再送信をドロップすることをさらに備える、
Ｃ９に記載の方法。
［Ｃ１１］
第１のハイブリッド自動再送要求（ＨＡＲＱ）プロセスの第１の期間中の第１のパケットの送信を示す半永続的スケジューリング（ＳＰＳ）メッセージを受信するための手段と、
送信時間間隔バンドル（ＴＴＩバンドル）送信のためのアップリンク／ダウンリンク構成を受信するための手段と、
前記第１のＨＡＲＱプロセスの前記第１の期間中に前記第１のリソース上で第１のＴＴＩバンドルパケットを送信するための手段と、
前記ＳＰＳメッセージに基づいて、前記第１のＨＡＲＱプロセスの第２の期間中に第２のＴＴＩバンドルパケットを送信するための第２のリソースを識別するための手段と、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすべきかどうかを決定するための手段と
を備える、ワイヤレス通信のための装置。
［Ｃ１２］
前記決定するための手段は、前記アップリンク／ダウンリンク構成または前記複数のＨＡＲＱプロセスの中の利用可能なＨＡＲＱプロセスの数のうちの少なくとも１つに基づいて決定する、
Ｃ１１に記載の装置。
［Ｃ１３］
前記第２のＴＴＩバンドルパケットの前記送信は、前記送信された第１のＴＴＩバンドルパケットが前記第１のＨＡＲＱプロセスの前記第１の期間中に正常に受信されたとき、前記第２のＨＡＲＱプロセスの前記期間にオフセットされない、
Ｃ１１に記載の装置。
［Ｃ１４］
前記オフセットの１つまたは複数の値は、基地局から受信されたあらかじめ決定されたＳＰＳインスタンスのための無線リソース制御（ＲＲＣ）構成に基づいて決定される、
Ｃ１１に記載の装置。
［Ｃ１５］
前記１つまたは複数のオフセット値は、前記あらかじめ決定されたＳＰＳインスタンスのための前記ＲＲＣ構成に基づいてサイクリックに繰り返される、
Ｃ１４に記載の装置。
［Ｃ１６］
前記オフセットの１つまたは複数の値は、あらかじめ定義されたオフセットのリストに基づいて決定される、
Ｃ１１に記載の装置。
［Ｃ１７］
前記１つまたは複数のオフセット値は、あらかじめ定義されたオフセットの前記リストに基づいてサイクリックに繰り返される、Ｃ１６に記載の装置。
［Ｃ１８］
前記オフセットの１つまたは複数の値は、基地局から受信された情報をスケジュールする際に与えられる指示に基づいて決定される、
Ｃ１１に記載の装置。
［Ｃ１９］
前記第２のＴＴＩバンドルパケットの前記送信を前記第２のＨＡＲＱプロセスの前記期間にオフセットすべきかどうかを前記決定するための手段は、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第１のパケットの前記再送信が予想される場合、前記第２のＴＴＩバンドルパケットを送信するための次の利用可能なＨＡＲＱプロセスと、前記次の利用可能なＨＡＲＱプロセスのための対応するオフセット値とを決定すること
を行うように構成された、Ｃ１１に記載の装置。
［Ｃ２０］
前記第２のＴＴＩバンドルパケットの前記送信を前記第２のＨＡＲＱプロセスの前記期間にオフセットすべきかどうかを前記決定するための手段は、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第２のＴＴＩバンドルパケットを送信するための他の利用可能なＨＡＲＱプロセスがない場合、前記第１のＴＴＩバンドルパケットの前記再送信をドロップすること
を行うようにさらに構成された、Ｃ１９に記載の装置。
［Ｃ２１］
メモリと、
前記メモリに結合された少なくとも１つのプロセッサとを備え、前記少なくとも１つのプロセッサは、
第１のハイブリッド自動再送要求（ＨＡＲＱ）プロセスの第１の期間中の第１のパケットの送信を示す半永続的スケジューリング（ＳＰＳ）メッセージを受信することと、
送信時間間隔バンドル（ＴＴＩバンドル）送信のためのアップリンク／ダウンリンク構成を受信することと、
前記第１のＨＡＲＱプロセスの前記第１の期間中に前記第１のリソース上で第１のＴＴＩバンドルパケットを送信することと、
前記ＳＰＳメッセージに基づいて、前記第１のＨＡＲＱプロセスの第２の期間中に第２のＴＴＩバンドルパケットを送信するための第２のリソースを識別することと、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすべきかどうかを決定することと
を行うように構成された、ワイヤレス通信のための装置。
［Ｃ２２］
決定するように構成された前記少なくとも１つのプロセッサは、前記アップリンク／ダウンリンク構成または前記複数のＨＡＲＱプロセスの中の利用可能なＨＡＲＱプロセスの数のうちの少なくとも１つに基づいて決定する、
Ｃ２１に記載の装置。
［Ｃ２３］
前記第２のＴＴＩバンドルパケットの前記送信は、前記送信された第１のＴＴＩバンドルパケットが前記第１のＨＡＲＱプロセスの前記第１の期間中に正常に受信されたとき、前記第２のＨＡＲＱプロセスの前記期間にオフセットされない、
Ｃ２１に記載の装置。
［Ｃ２４］
前記オフセットの１つまたは複数の値は、基地局から受信されたあらかじめ決定されたＳＰＳインスタンスのための無線リソース制御（ＲＲＣ）構成に基づいて決定される、
Ｃ２１に記載の装置。
［Ｃ２５］
前記１つまたは複数のオフセット値は、前記あらかじめ決定されたＳＰＳインスタンスのための前記ＲＲＣ構成に基づいてサイクリックに繰り返される、
Ｃ２４に記載の装置。
［Ｃ２６］
前記オフセットの１つまたは複数の値は、あらかじめ定義されたオフセットのリストに基づいて決定される、
Ｃ２１に記載の装置。
［Ｃ２７］
前記オフセットの１つまたは複数の値は、基地局から受信された情報をスケジュールする際に与えられる指示に基づいて決定される、
Ｃ２１に記載の装置。
［Ｃ２８］
前記第２のＴＴＩバンドルパケットの前記送信を前記第２のＨＡＲＱプロセスの前記期間にオフセットすべきかどうかを決定するように構成された前記少なくとも１つのプロセッサは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第１のパケットの前記再送信が予想される場合、前記第２のＴＴＩバンドルパケットを送信するための次の利用可能なＨＡＲＱプロセスと、前記次の利用可能なＨＡＲＱプロセスのための対応するオフセット値とを決定すること
を行うように構成された、Ｃ２１に記載の装置。
［Ｃ２９］
前記第２のＴＴＩバンドルパケットの前記送信を前記第２のＨＡＲＱプロセスの前記期間にオフセットすべきかどうかを決定するように構成された前記少なくとも１つのプロセッサは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第２のＴＴＩバンドルパケットを送信するための他の利用可能なＨＡＲＱプロセスがない場合、前記第１のＴＴＩバンドルパケットの前記再送信をドロップすることを行うようにさらに構成された、
Ｃ２８に記載の装置。
［Ｃ３０］
コンピュータ可読媒体に記憶されたコンピュータプログラム製品であって、少なくとも１つのプロセッサ上で実行されると、前記少なくとも１つのプロセッサに、
第１のハイブリッド自動再送要求（ＨＡＲＱ）プロセスの第１の期間中の第１のパケットの送信を示す半永続的スケジューリング（ＳＰＳ）メッセージを受信することと、
送信時間間隔バンドル（ＴＴＩバンドル）送信のためのアップリンク／ダウンリンク構成を受信することと、
前記第１のＨＡＲＱプロセスの前記第１の期間中に前記第１のリソース上で第１のＴＴＩバンドルパケットを送信することと、
前記ＳＰＳメッセージに基づいて、前記第１のＨＡＲＱプロセスの第２の期間中に第２のＴＴＩバンドルパケットを送信するための第２のリソースを識別することと、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすべきかどうかを決定することと
を行わせるコードを備える、コンピュータプログラム製品。
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
第１のハイブリッド自動再送要求（ＨＡＲＱ）プロセスの第１の期間中の第１のパケットの送信を示す半永続的スケジューリング（ＳＰＳ）メッセージを受信することと、
送信時間間隔バンドル（ＴＴＩバンドル）送信のためのアップリンク／ダウンリンク構成を受信することと、
前記第１のＨＡＲＱプロセスの前記第１の期間中に第１のリソース上で第１のＴＴＩバンドルパケットを送信することと、
前記ＳＰＳメッセージに基づいて、前記第１のＨＡＲＱプロセスの第２の期間中に第２のＴＴＩバンドルパケットを送信するための第２のリソースを識別することと、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすることを決定することと
を備える、ワイヤレス通信の方法。
【請求項２】
前記決定することは、前記アップリンク／ダウンリンク構成または前記複数のＨＡＲＱプロセスの中の利用可能なＨＡＲＱプロセスの数のうちの少なくとも１つに基づく、
請求項１に記載の方法。
【請求項３】
前記第２のＴＴＩバンドルパケットの前記送信は、前記送信された第１のＴＴＩバンドルパケットが前記第１のＨＡＲＱプロセスの前記第１の期間中に正常に受信されたとき、前記第２のＨＡＲＱプロセスの前記期間にオフセットされない、
請求項１に記載の方法。
【請求項４】
前記オフセットの１つまたは複数の値は、基地局から受信されたあらかじめ決定されたＳＰＳインスタンスのための無線リソース制御（ＲＲＣ）構成に基づいて決定される、
請求項１に記載の方法。
【請求項５】
前記オフセットの前記１つまたは複数の値は、前記あらかじめ決定されたＳＰＳインスタンスのための前記ＲＲＣ構成に基づいてサイクリックに繰り返される、
請求項４に記載の方法。
【請求項６】
前記オフセットの１つまたは複数の値は、あらかじめ定義されたオフセットのリストに基づいて決定される、
請求項１に記載の方法。
【請求項７】
前記オフセットの前記１つまたは複数の値は、あらかじめ定義されたオフセットの前記リストに基づいてサイクリックに繰り返される、
請求項６に記載の方法。
【請求項８】
前記オフセットの１つまたは複数の値は、基地局から受信された情報をスケジュールする際に与えられる指示に基づいて決定される、
請求項１に記載の方法。
【請求項９】
前記第２のＴＴＩバンドルパケットの前記送信を前記第２のＨＡＲＱプロセスの前記期間にオフセットすべきかどうかを前記決定することは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第１のパケットの前記再送信が予想される場合、前記第２のＴＴＩバンドルパケットを送信するための次の利用可能なＨＡＲＱプロセスと、前記次の利用可能なＨＡＲＱプロセスのための対応するオフセット値とを決定することを備える、
請求項１に記載の方法。
【請求項１０】
前記第２のＴＴＩバンドルパケットの前記送信を前記第２のＨＡＲＱプロセスの前記期間にオフセットすべきかどうかを前記決定することは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第２のＴＴＩバンドルパケットを送信するための他の利用可能なＨＡＲＱプロセスがない場合、前記第１のＴＴＩバンドルパケットの前記再送信をドロップすることをさらに備える、
請求項９に記載の方法。
【請求項１１】
第１のハイブリッド自動再送要求（ＨＡＲＱ）プロセスの第１の期間中の第１のパケットの送信を示す半永続的スケジューリング（ＳＰＳ）メッセージを受信するための手段と、
送信時間間隔バンドル（ＴＴＩバンドル）送信のためのアップリンク／ダウンリンク構成を受信するための手段と、
前記第１のＨＡＲＱプロセスの前記第１の期間中に第１のリソース上で第１のＴＴＩバンドルパケットを送信するための手段と、
前記ＳＰＳメッセージに基づいて、前記第１のＨＡＲＱプロセスの第２の期間中に第２のＴＴＩバンドルパケットを送信するための第２のリソースを識別するための手段と、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすることを決定するための手段と
を備える、ワイヤレス通信のための装置。
【請求項１２】
前記決定するための手段は、前記アップリンク／ダウンリンク構成または前記複数のＨＡＲＱプロセスの中の利用可能なＨＡＲＱプロセスの数のうちの少なくとも１つに基づいて決定する、
請求項１１に記載の装置。
【請求項１３】
前記第２のＴＴＩバンドルパケットの前記送信は、前記送信された第１のＴＴＩバンドルパケットが前記第１のＨＡＲＱプロセスの前記第１の期間中に正常に受信されたとき、前記第２のＨＡＲＱプロセスの前記期間にオフセットされない、
請求項１１に記載の装置。
【請求項１４】
前記オフセットの１つまたは複数の値は、基地局から受信されたあらかじめ決定されたＳＰＳインスタンスのための無線リソース制御（ＲＲＣ）構成に基づいて決定される、
請求項１１に記載の装置。
【請求項１５】
前記オフセットの前記１つまたは複数の値は、前記あらかじめ決定されたＳＰＳインスタンスのための前記ＲＲＣ構成に基づいてサイクリックに繰り返される、
請求項１４に記載の装置。
【請求項１６】
前記オフセットの１つまたは複数の値は、あらかじめ定義されたオフセットのリストに基づいて決定される、
請求項１１に記載の装置。
【請求項１７】
前記オフセットの前記１つまたは複数の値は、あらかじめ定義されたオフセットの前記リストに基づいてサイクリックに繰り返される、請求項１６に記載の装置。
【請求項１８】
前記オフセットの１つまたは複数の値は、基地局から受信された情報をスケジュールする際に与えられる指示に基づいて決定される、
請求項１１に記載の装置。
【請求項１９】
前記第２のＴＴＩバンドルパケットの前記送信を前記第２のＨＡＲＱプロセスの前記期間にオフセットすべきかどうかを前記決定するための手段は、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第１のパケットの前記再送信が予想される場合、前記第２のＴＴＩバンドルパケットを送信するための次の利用可能なＨＡＲＱプロセスと、前記次の利用可能なＨＡＲＱプロセスのための対応するオフセット値とを決定すること
を行うように構成された、請求項１１に記載の装置。
【請求項２０】
前記第２のＴＴＩバンドルパケットの前記送信を前記第２のＨＡＲＱプロセスの前記期間にオフセットすべきかどうかを前記決定するための手段は、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第２のＴＴＩバンドルパケットを送信するための他の利用可能なＨＡＲＱプロセスがない場合、前記第１のＴＴＩバンドルパケットの前記再送信をドロップすること
を行うようにさらに構成された、請求項１９に記載の装置。
【請求項２１】
メモリと、
前記メモリに結合された少なくとも１つのプロセッサと
を備え、前記少なくとも１つのプロセッサは、
第１のハイブリッド自動再送要求（ＨＡＲＱ）プロセスの第１の期間中の第１のパケットの送信を示す半永続的スケジューリング（ＳＰＳ）メッセージを受信することと、
送信時間間隔バンドル（ＴＴＩバンドル）送信のためのアップリンク／ダウンリンク構成を受信することと、
前記第１のＨＡＲＱプロセスの前記第１の期間中に第１のリソース上で第１のＴＴＩバンドルパケットを送信することと、
前記ＳＰＳメッセージに基づいて、前記第１のＨＡＲＱプロセスの第２の期間中に第２のＴＴＩバンドルパケットを送信するための第２のリソースを識別することと、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすることを決定することと
を行うように構成された、ワイヤレス通信のための装置。
【請求項２２】
決定するように構成された前記少なくとも１つのプロセッサは、前記アップリンク／ダウンリンク構成または前記複数のＨＡＲＱプロセスの中の利用可能なＨＡＲＱプロセスの数のうちの少なくとも１つに基づいて決定する、
請求項２１に記載の装置。
【請求項２３】
前記第２のＴＴＩバンドルパケットの前記送信は、前記送信された第１のＴＴＩバンドルパケットが前記第１のＨＡＲＱプロセスの前記第１の期間中に正常に受信されたとき、前記第２のＨＡＲＱプロセスの前記期間にオフセットされない、
請求項２１に記載の装置。
【請求項２４】
前記オフセットの１つまたは複数の値は、基地局から受信されたあらかじめ決定されたＳＰＳインスタンスのための無線リソース制御（ＲＲＣ）構成に基づいて決定される、
請求項２１に記載の装置。
【請求項２５】
前記オフセットの前記１つまたは複数の値は、前記あらかじめ決定されたＳＰＳインスタンスのための前記ＲＲＣ構成に基づいてサイクリックに繰り返される、
請求項２４に記載の装置。
【請求項２６】
前記オフセットの１つまたは複数の値は、あらかじめ定義されたオフセットのリストに基づいて決定される、
請求項２１に記載の装置。
【請求項２７】
前記オフセットの１つまたは複数の値は、基地局から受信された情報をスケジュールする際に与えられる指示に基づいて決定される、
請求項２１に記載の装置。
【請求項２８】
前記第２のＴＴＩバンドルパケットの前記送信を前記第２のＨＡＲＱプロセスの前記期間にオフセットすべきかどうかを決定するように構成された前記少なくとも１つのプロセッサは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第１のパケットの前記再送信が予想される場合、前記第２のＴＴＩバンドルパケットを送信するための次の利用可能なＨＡＲＱプロセスと、前記次の利用可能なＨＡＲＱプロセスのための対応するオフセット値とを決定すること
を行うように構成された、請求項２１に記載の装置。
【請求項２９】
前記第２のＴＴＩバンドルパケットの前記送信を前記第２のＨＡＲＱプロセスの前記期間にオフセットすべきかどうかを決定するように構成された前記少なくとも１つのプロセッサは、
前記第２のＴＴＩバンドルパケットを送信するための前記第２のリソースのうちの前記少なくとも１つが、前記第１のＴＴＩバンドルパケットを再送信するために使用される前記少なくとも１つのリソースと重複し、前記第２のＴＴＩバンドルパケットを送信するための他の利用可能なＨＡＲＱプロセスがない場合、前記第１のＴＴＩバンドルパケットの前記再送信をドロップすることを行うようにさらに構成された、
請求項２８に記載の装置。
【請求項３０】
非一時的なコンピュータ可読媒体に記憶されたコンピュータプログラム製品であって、少なくとも１つのプロセッサ上で実行されると、前記少なくとも１つのプロセッサに、
第１のハイブリッド自動再送要求（ＨＡＲＱ）プロセスの第１の期間中の第１のパケットの送信を示す半永続的スケジューリング（ＳＰＳ）メッセージを受信することと、
送信時間間隔バンドル（ＴＴＩバンドル）送信のためのアップリンク／ダウンリンク構成を受信することと、
前記第１のＨＡＲＱプロセスの前記第１の期間中に第１のリソース上で第１のＴＴＩバンドルパケットを送信することと、
前記ＳＰＳメッセージに基づいて、前記第１のＨＡＲＱプロセスの第２の期間中に第２のＴＴＩバンドルパケットを送信するための第２のリソースを識別することと、
前記第２のＴＴＩバンドルパケットを送信するための前記第２のリソースのうちの少なくとも１つが、前記第１のＨＡＲＱプロセスに従って前記第１のＴＴＩバンドルパケットを再送信するために使用される少なくとも１つのリソースと重複するとき、前記第２のＴＴＩバンドルパケットの送信を第２のＨＡＲＱプロセスの期間にオフセットすることを決定することと
を行わせるコードを備える、コンピュータプログラム製品。
【国際調査報告】
2016540456.tif 000016
2016540456.tif 000017
2016540456.tif 000018